(57)【要約】【課題】フレキシブル配線基板を用いた接続不良を改善することにより、低コストで高信頼性のディスプレイ装置を提供することを目的とする。【解決手段】絶縁性フィルム基材５２に複数本の導電パターン５３を配設することにより構成されかつ一方の端部にコネクタ６３に着脱可能に接続されるコネクタ側端子部５４を設けるとともに他方の端部にパネルの電極引出部に接続されるパネル側端子部を設けたフレキシブル配線基板５１を有し、前記フレキシブル配線基板５１のコネクタ側端子部５４は、両側に外側方向に向かって突出する膨らみ部５６を有し、かつ前記コネクタ側端子部５４の最も外側に配置した導電パターン５３ａは、前記膨らみ部５６に延長して形成されるように他の導電パターン５３より面積が大きくなるような形状とした。これにより、低コストで高信頼性のディスプレイ装置を提供することができる。【選択図】図６
2009300643.tif 000002
【特許請求の範囲】
【請求項１】
電極引出部を有するパネルと、このパネルの電極に駆動電圧を印加する駆動回路基板と、絶縁性フィルム基材に複数本の導電パターンを配設することにより構成されかつ一方の端部に前記駆動回路基板に配置したコネクタに着脱可能に接続されるコネクタ側端子部を設けるとともに他方の端部に前記パネルの電極引出部に接続されるパネル側端子部を設けたフレキシブル配線基板とを有し、前記フレキシブル配線基板のコネクタ側端子部は、両側に外側方向に向かって突出する膨らみ部を有し、かつ前記コネクタ側端子部の最も外側に配置した導電パターンは、前記膨らみ部に延長して形成されるように他の導電パターンより面積が大きくなるような形状としたことを特徴とするディスプレイ装置。
【請求項２】
フレキシブル配線基板のコネクタ側端子部に設けた膨らみ部は、コネクタにコネクタ側端子部を接続したときコネクタの一部に係合するものである請求項１に記載のディスプレイ装置。
【発明の詳細な説明】
【技術分野】
【０００１】
本発明は、プラズマディスプレイ装置や液晶ディスプレイ装置などのディスプレイ装置に関する。
【背景技術】
【０００２】
ディスプレイ装置として、プラズマディスプレイパネル（以下、単に「パネル」と略記する）を用いたプラズマディスプレイ装置は、視野角が広く大画面化が容易であり、かつ自発光型であり画像表示品質が高いこと等から大画面画像表示装置の主流となりつつある。
【０００３】
このプラズマディスプレイ装置のパネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。
【０００４】
そして、表示電極対とデータ電極とが立体交差するように前面板と背面板とが対向配置されて密封され、内部の放電空間には、例えばキセノンを含む放電ガスが封入されている。ここで表示電極対とデータ電極との対向する部分に放電セルが形成される。
【０００５】
このようなパネルを用いてプラズマディスプレイ装置を構成するために、パネルには、各電極に駆動電圧を印加するためのフレキシブル配線基板（以下、「ＦＰＣ」と略記する）が接続される。特にデータ電極に駆動電圧を印加するためのＦＰＣには、データ電極のそれぞれを駆動するためのＩＣチップが搭載されている。このように電極を駆動するＩＣチップをＦＰＣに搭載したものを特にモジュールと呼ぶ。
【０００６】
データ電極用のモジュールには、ＩＣチップの出力をデータ電極に伝達するための出力端子、および駆動回路の信号をＩＣチップに入力するための入力端子が形成されており、出力端子はパネルのデータ電極の電極引出部のそれぞれに異方導電性接着剤等を介して電気的に接続される。
【０００７】
ここで、データ電極を駆動するＩＣチップは温度が高くなるので、熱抵抗が十分小さくなるように考慮して実装する必要がある。そこで、このＩＣチップを搭載したモジュールとして、放熱のための放熱板を取り付けた構造が開示されている。そしてその放熱板にはＩＣチップが嵌り込む凹部が設けられており、かつその凹部に熱伝導性部材を充填することにより小さな熱抵抗を実現することができる（例えば、特許文献１参照）。そしてこれらのモジュールの放熱板は、例えば金属製のシャーシにビス等を用いて固定して取り付けられる。
【０００８】
また、入力端子は、駆動回路に設けられているコネクタに接続され、駆動回路より信号は入力されることにより、画像表示される。
【特許文献１】特開２００５−３３８７０６号公報
【発明の開示】
【発明が解決しようとする課題】
【０００９】
本発明はこのようなディスプレイ装置において、ＦＰＣを用いた接続不良を改善することにより、低コストで高信頼性のディスプレイ装置を提供することを目的とする。
【課題を解決するための手段】
【００１０】
この目的を達成するため本発明は、電極引出部を有するパネルと、このパネルの電極に駆動電圧を印加する駆動回路基板と、絶縁性フィルム基材に複数本の導電パターンを配設することにより構成されかつ一方の端部に前記駆動回路基板に配置したコネクタに着脱可能に接続されるコネクタ側端子部を設けるとともに他方の端部に前記パネルの電極引出部に接続されるパネル側端子部を設けたＦＰＣとを有し、前記ＦＰＣのコネクタ側端子部は、両側に外側方向に向かって突出する膨らみ部を有し、かつ前記コネクタ側端子部の最も外側に配置した導電パターンは、前記膨らみ部に延長して形成されるように他の導電パターンより面積が大きくなるような形状としたことを特徴とする。
【００１１】
また、ＦＰＣのコネクタ側端子部に設けた膨らみ部は、コネクタにコネクタ側端子部を接続したときコネクタの一部に係合するものである。
【発明の効果】
【００１２】
本発明によれば、ＦＰＣの基材材料を薄くしても、コネクタ側端子部の膨らみ部の強度が高まるため、ＦＰＣに大きな外力が加わっても、ＦＰＣがコネクタから外れたり、ＦＰＣに亀裂が発生することがなく、低コストで高信頼性のディスプレイ装置を提供することができる。
【発明を実施するための最良の形態】
【００１３】
以下、本発明の実施の形態におけるプラズマディスプレイ装置について、図面を用いて説明する。
【００１４】
図１は、本発明の実施の形態に用いるパネルの要部を示す分解斜視図である。パネル１０は、ガラス製の前面基板２１と背面基板３１とを対向配置して、その間に放電空間を形成するように構成されている。
【００１５】
前面基板２１上には走査電極２２と維持電極２３とからなる表示電極対２４が複数形成されている。そして、表示電極対２４を覆うように誘電体層２５が形成され、誘電体層２５上には保護層２６が形成されている。
【００１６】
また、背面基板３１上には複数のデータ電極３２が形成され、そのデータ電極３２を覆うように誘電体層３３が形成されている。誘電体層３３上には井桁状の隔壁３４が設けられている。また、誘電体層３３の表面および隔壁３４の側面に蛍光体層３５が設けられている。そして、表示電極対２４とデータ電極３２とが交差する方向に前面基板２１と背面基板３１とを対向配置しており、その間に形成される放電空間には、放電ガスとして、例えばネオンとキセノンの混合ガスが封入されている。なお、パネル１０の構造は上述したものに限られるわけではなく、例えばストライプ状の隔壁を備えたものであってもよい。
【００１７】
図２は、本発明の実施の形態に用いるパネル１０の電極配列図である。行方向に長いｎ本の走査電極２２およびｎ本の維持電極２３が配列され、列方向に長いｍ本のデータ電極３２が配列されている。そして、１対の走査電極２２および維持電極２３と１つのデータ電極３２とが交差した部分に放電セルが形成され、放電セルは放電空間内にｍ×ｎ個形成されている。
【００１８】
各電極の数はパネルの仕様により異なるが、６５吋のハイビジョン仕様のパネルでは、例えばｎ＝１０８０、ｍ＝５７６０であり、１０８０対の表示電極対２４、５７６０本のデータ電極３２を有し、１０８０×５７６０＝６２２０８００個の放電セルが形成されている。またこのときのパネル１０の寸法は、例えば、縦＝８７０ｍｍ、横＝１５００ｍｍである。
【００１９】
図３は、本発明の実施の形態に用いるパネル１０の外観を模式的に示す平面図であり、図３（ａ）はパネル１０を背面基板３１側から見た図であり、図３（ｂ）は前面基板２１側から見た図である。パネル１０の前面基板２１および背面基板３１は矩形状であり長辺と短辺を有している。
【００２０】
図３（ａ）に示すように、例えば、前面基板２１の短辺左側には走査電極用の電極引出部４１が形成されている。電極引出部４１のそれぞれはｎ本の走査電極２２のそれぞれに接続されている。また、前面基板２１の短辺右側には維持電極用の電極引出部４２が形成されている。電極引出部４２のそれぞれはｎ本の維持電極２３のそれぞれに接続されている。この電極引出部４１、４２はそれぞれ複数のブロックに分かれており、各々のブロックには維持電極用のＦＰＣおよび走査電極用のＦＰＣ（ともに図示せず）が接続される。
【００２１】
また、図３（ｂ）に示すように、例えば、背面基板３１の長辺下側にはデータ電極用の電極引出部４４が形成されている。電極引出部４４のそれぞれはｍ本のデータ電極３２のそれぞれに接続されている。この電極引出部４４も複数のブロックに分かれており、各々のブロックにはデータ電極３２を駆動するためのＩＣチップをＦＰＣに搭載したモジュール５０が接続される。なお、データ電極３２が５７６０本、１個あたりのモジュールの出力数が３８４出力であれば、背面基板３１の長辺下側に１５個のモジュール５０が接続される。
【００２２】
また、図４は、モジュール５０の搭載部分を示す拡大図で、パネル１０は金属からなるシャーシ６０に熱伝導部材６１を介して取り付けられ、そのシャーシ６０の背面側にはパネル１０に駆動電圧を印加するための駆動回路基板６２が搭載されている。そして、モジュール５０は、パネル１０と駆動回路基板６２に接続されている。
【００２３】
図５（ａ）は、本発明の実施の形態におけるモジュール５０の詳細図、図５（ｂ）は、モジュール５０について、図５（ａ）のＣ−Ｃ線に沿った断面図、図５（ｃ）は図５（ａ）のＡ部をさらに拡大した詳細図である。
【００２４】
モジュール５０のＦＰＣ５１は、ポリイミドフィルムなどの絶縁性フィルム基材５２間に複数本の銅箔からなる導電パターン５３を配設することにより構成され、かつ一方の端部には、前記駆動回路基板６２上に配置したコネクタ６３に着脱可能に接続されるコネクタ側端子部５４を設けるとともに、他方の端部に前記パネル１０の電極引出部４４に異方導電性接着剤等を用いて接続されるパネル側端子部５５を設けることにより構成されている。また、このＦＰＣ５１のコネクタ側端子部５４は、両側に外側方向に向かって突出する膨らみ部５６を有し、かつ前記コネクタ側端子部５４の最も外側に配置した導電パターン５３ａは、前記膨らみ部５６に延長して形成されたランド部５６ａが設けられ、他の導電パターン５３より面積が大きくなるような形状としている。
【００２５】
また、モジュール５０は、ＦＰＣ５１上に、前記導電パターン５３に接続され、前記パネル１０のデータ電極３２に駆動電圧を印加するＩＣチップ５７を搭載するとともに、そのＩＣチップ５７を前記導電パターン５３との接続部を含めて保護用の樹脂５８で被覆することにより構成されている。なお、ＩＣチップ５７は、ＩＣチップ５７で発生した熱を放熱するための金属からなる放熱板５９に設けた凹部５９ａに熱伝導性コンパウンドや熱伝導性接着剤等の熱伝導性部材５９ｂを介して配設され、その放熱板５９を絶縁性フィルム基材５２に接着することによりＦＰＣ５１に搭載されている。また、放熱板５９には、取付孔５９ｃが設けられており、駆動回路基板６２が配置されるシャーシ６０にねじ６４などで取付けられている。
【００２６】
図６はＦＰＣ５１をコネクタ６３に接続するときの様子を示す図であり、図６において、コネクタ６３は、ハウジング６３ａに、ＦＰＣ５１の導電パターン５３それぞれに電気的に接触する複数の端子６３ｂを配置した構成であり、図６に示すように、ＦＰＣ５１をコネクタ６３に矢印ａ方向に挿入し、その後コネクタ６３のコネクタカバー６３ｃを矢印ｂ方向に回転させて閉じることにより、ＦＰＣ５１のコネクタ側端子部５４がコネクタ６３の端子６３ｂ方向に押され、これによりコネクタ側端子部５４において露出している導電パターン５３それぞれがコネクタ６３の端子６３ｂそれぞれに電気的に接触することとなる。
【００２７】
図７はＦＰＣ５１をコネクタ６３に接続したときの様子の概略を示す図である。図７に示すように、コネクタカバー６３ｃを回転させて閉じることにより、コネクタカバー６３ｃの両側に設けた係合部６３ｄがＦＰＣ５１のコネクタ側端子部５４に設けた膨らみ部５６に係合し、これによりＦＰＣ５１がコネクタ６３から抜けるのを防止することができる。すなわち、ＦＰＣ５１のコネクタ側端子部５４に設けた膨らみ部５６をコネクタ６３のコネクタカバー６３ｃの一部に係合させることにより、ＦＰＣ５１がコネクタ６３から容易に抜けてしまうのを防止する抜け防止機構を構成している。
【００２８】
ここで、ＦＰＣ５１を取り付けるとき、まずＦＰＣ５１をコネクタ６３に装着し、その後、図４に示すように、モジュール５０の放熱板５９をシャーシ６０にねじ６４などで固定するが、その際ＦＰＣ５１の挿入方向と逆方向に強い外力が加わったり、また放熱板５９をシャーシ６０にねじ６４などで固定する前にも強い外力が加わることにより、ＦＰＣ５１がコネクタ６３から抜けて外れてしまうことがあった。
【００２９】
本実施の形態においては、ＦＰＣ５１のコネクタ側端子部５４は、両側に外側方向に向かって突出する膨らみ部５６を有し、かつ前記コネクタ側端子部５４の最も外側に配置した導電パターン５３ａは、前記膨らみ部５６に延長して形成されるように他の導電パターン５３より面積が大きくなるような形状としており、膨らみ部５６をコネクタ６３の一部に係合させることにより、ＦＰＣ５１がコネクタ６３から容易に抜けてしまうということがなくなり、しかもコネクタ側端子部５４の最も外側に配置した導電パターン５３ａは、前記膨らみ部５６に延長して形成されるように他の導電パターン５３より面積が大きくなるような形状としており、ＦＰＣ５１の基材材料を薄くしても、コネクタ側端子部５４の膨らみ部５６の強度が高まるため、膨らみ部５６に大きな外力が作用しても、膨らみ部５６が変形して外れたり、ＦＰＣ５１に亀裂が発生することがなく、低コストで高信頼性のディスプレイ装置とすることができる。
【００３０】
なお、本実施の形態においては、膨らみ部５６の形状は図５に示すものに限定されるものではなく、コネクタ６３の一部に係合できる形状であればよい。また、膨らみ部５６に延長して形成するランド部５６ａのパターンの面積は、大きくすればするほど膨らみ部５６の強度が増すため、可能な範囲で面積を大きくすることが望ましい。
【産業上の利用可能性】
【００３１】
以上のように本発明は、ＦＰＣを用いて接続を行うディスプレイ装置の信頼性を高める上で有用な発明である。
【図面の簡単な説明】
【００３２】
【図１】本発明の実施の形態によるプラズマディスプレイ装置に用いるパネルの要部を示す分解斜視図
【図２】同パネルの電極配列図
【図３】本発明の実施の形態に用いるパネルの外観を模式的に示す平面図
【図４】本発明の実施の形態におけるモジュールの搭載部分を示す拡大図
【図５】（ａ）は本発明の実施の形態におけるモジュールの詳細を示す平面図、（ｂ）は図５（ａ）のＣ−Ｃ線に沿った断面図、（ｃ）は図５（ａ）のＡ部をさらに拡大した拡大図
【図６】ＦＰＣをコネクタに接続するときの様子を示す斜視図
【図７】ＦＰＣをコネクタに接続したときの様子の概略を示す断面図
【符号の説明】
【００３３】
１０  パネル
２２  走査電極
２３  維持電極
３２  データ電極
４４  電極引出部
５０  モジュール
５１  フレキシブル配線基板
５２  絶縁性フィルム基材
５３、５３ａ  導電パターン
５４  コネクタ側端子部
５５  パネル側端子部
５６  膨らみ部
６２  駆動回路基板
６３  コネクタ
６３ｄ  係合部
【図１】
2009300643.tif 000003
【図２】
2009300643.tif 000004
【図３】
2009300643.tif 000005
【図４】
2009300643.tif 000006
【図５】
2009300643.tif 000007
【図６】
2009300643.tif 000008
【図７】
2009300643.tif 000009